(57)【要約】【課題】  工費の削減が可能で、立て起し時に重量部材の板状部に過大な応力が発生しない重量部材の起立装置を提供すること。【解決手段】  平面を下方に向けて設置した板状部２１を有する重量部材２を立て起こすための起立装置１であって、前記板状部２１の端部を挿入する架台１１と、前記架台１１を回転支持する回転軸１２と、からなり、前記板状部２１の端面を接触させる前記架台１１の底面１１１の位置を、前記回転軸１２の中心の直上よりも突出した位置としたことを特徴とするものである。ここで、前記底面１１１の反対側の面に起立時用の補助回転軸１３を設けることができる。【選択図】図１
2005248662.tif 000002
【特許請求の範囲】
【請求項１】
平面を下方に向けて設置した板状部を有する重量部材を立て起こすための起立装置であって、
前記板状部の端部を挿入する架台と、
前記架台を回転支持する回転軸と、からなり、
前記板状部の端面を接触させる前記架台の底面の位置を、前記回転軸の中心の直上よりも突出した位置としたことを特徴とする、
重量部材の起立装置。
【請求項２】
請求項１に記載の起立装置であって、
前記底面の反対側の面に起立時用の補助回転軸を設けたことを特徴とする、重量部材の起立装置。
【請求項３】
請求項２に記載の起立装置であって、
起立時に前記板状部から前記底面が受ける荷重の作用線の延長方向に前記補助回転軸の中心が位置することを特徴とする、重量部材の起立装置。
【発明の詳細な説明】
【技術分野】
【０００１】
本発明は、コンクリート製のカーテンウォールなどの板状部を有する重量部材を立て起こすための起立装置に関するものである。
【背景技術】
【０００２】
軟弱地盤上や水深の深い場所に防波堤を構築する際に、杭体を水底地盤の支持層まで打設し、その杭体によって壁部材（カーテンウォール）を支持させた防波堤を構築することがある（特許文献１参照）。カーテンウォールは、板状部を有する壁部材であり、水平に寝かせた状態で構築され、運搬されるのが一般的である。そして、現地まで運搬したカーテンウォールの両端を２台の起重機船または特殊な２点吊り可能な起重機船で吊り上げて、バランスを取りながら立て起す。
【特許文献１】特開２００１−３３３１号公報
【発明の開示】
【発明が解決しようとする課題】
【０００３】
前記した従来のカーテンウォール等の重量部材の立て起しにあっては、次のような問題点がある。
重量部材の両端を吊り上げるため、２台の起重機船を使用するか、若しくは特殊な起重機船を必要とする。しかし、特殊な起重機船を手配したり、起重機船を何台も用意したりするには綿密な施工計画と計画に則った実施が必要な上に、コストがかかる。特に、カーテンウォールを製作するための施工ヤードが狭く、製作と運搬・立て起こしを繰り返す場合は、その都度起重機船の手配が必要となり、工費が増大する原因となる。
【課題を解決するための手段】
【０００４】
上記のような課題を解決するために、本発明の重量部材の起立装置は、平面を下方に向けて設置した板状部を有する重量部材を立て起こすための起立装置であって、前記板状部の端部を挿入する架台と、前記架台を回転支持する回転軸と、からなり、前記板状部の端面を接触させる前記架台の底面の位置を、前記回転軸の中心の直上よりも突出した位置としたことを特徴とするものである。ここで、前記底面の反対側の面に起立時用の補助回転軸を設けることができる。また、起立時に前記板状部から前記底面が受ける荷重の作用線の延長方向に、前記補助回転軸の中心が位置するように配置するのが好ましい。
【発明の効果】
【０００５】
本発明の重量部材の起立装置は、上記した課題を解決するための手段により、次のような効果の少なくとも一つを得ることができる。
＜１＞重量部材の一端側を起立装置に設置すれば、他端側を吊り上げるだけで重量部材を立て起すことができる。このため、一般的に使用される起重機船を一台用意すればよいので施工費を削減することができる。
＜２＞立て起し時に重量部材の板状部に過大な応力が発生しない。このため、板状部が破損することもない。
【発明を実施するための最良の形態】
【０００６】
以下、図面を参照しながら本発明の実施の形態について説明する。
【０００７】
＜１＞重量部材
重量部材２は、板状部２１を有する重量の重い部材である。例えば、杭体を挿入する挿入孔２２を複数有し、挿入孔２２，２２間を厚さの薄い板状部２１で連結したコンクリート製のカーテンウォールなどが該当する（図１参照）。
重量部材２は、陸上の製作ヤードや工場などにおいて、鉄筋を組み立ててコンクリートを打設することによって製作することができる。また、製作時や運搬時は、安定する向きである板状部２１の平面を下方に向けて設置する。
【０００８】
＜２＞起立装置
起立装置１は、水平に寝かせた重量部材２を立て起すための装置である。重量部材２の板状部２１の一端側に配置して、他端側を吊りワイヤ３などで吊り上げて重量部材２を立て起す。
起立装置１は、重量部材２の板状部２１の端部を挿入する架台１１と、この架台１１を回転支持する回転軸１２によって構成する。架台１１は、平面積に比べて厚さの薄い板状部２１の端部を挿入可能な受け部材である。例えば、板状部２１の端面を接触させる底面１１１と、底面１１１の両端から直交して突起する２本のアーム部１１５，１１６によって構成する。底面１１１やアーム部１１５，１１６の板状部２１と接する表面には緩衝材１１２を配置して、立て起し時の板状部２１の損傷を防ぐのが好ましい。また、架台１１の挿入口の幅は、板状部２１が挿入し易いように、板状部２１の厚みより大きくするのが好ましい。また、底面１１１に下側のアーム部１１６だけ取り付けた架台１１に板状部２１を載置し、その後で上側のアーム部１１５を底面１１１に取り付けることもできる。
【０００９】
＜３＞回転軸の位置
起立装置１は、回転軸１２を中心に回転させることによって重量部材２を立て起すための装置である。回転軸１２は、横にして設置した板状部２１の下方に最初は配置されるように、架台１１の下側のアーム部１１６の下面に取り付ける。回転軸１２は、回転を許容する受台１４上に設置して支持させる。重量部材２の他端側は、重量部材２の下面を支持できる支持台であれば如何なる形態のものであっても良い。
板状部２１の端面を接触させる架台１１の底面１１１と回転軸１２の位置関係は、設置した板状部２１の端面が回転軸１２の中心の直上から突出Ｄする位置関係とする（図２参照）。例えば、図５に示したように、板状部２１の端面が回転軸１２の中心の直上、またはそれよりも内側に引っ込んでいる場合を例に、立て起し時の板状部２１の応力状態を説明する。起立装置を配置していない側である重量部材２の他端を吊り上げると、板状部２１のＲ点を中心に下向きの力が作用することになる。しかし、Ｒ点が回転軸１２の中心の直上または回転方向とは反対方向にずれているため、回転軸１２に回転を発生させるためのモーメントとして働かず、Ｒ点の直上の角部に応力が集中し、破壊部２３が発生することになる。
【００１０】
そこで、架台１１と回転軸１２の位置関係を、図２に示すように板状部２１の端面が回転軸１２の中心の直上よりも突出Ｄするような位置関係にする。このような配置で重量部材２の他端を吊り上げると、板状部２１のＲ点付近に作用した荷重は、荷重の作用点から回転軸１２の中心までのアームを有する回転方向のモーメントに変わるため、スムーズに重量部材２を立て起すことができる。
【００１１】
＜４＞補助回転軸
補助回転軸１３は、重量部材２を立て起した時に回転支持させるための軸部材である。補助回転軸１３は、架台１１の底面１１１の反対側の面、すなわち回転軸１２を取り付けたアーム部１１６と直交する架台１１の裏面に固定する（図２，４参照）。
補助回転軸１３の位置も、回転軸１２の場合と同様に、立て起した時に重量部材２が任意の方向にスムーズに回転できる位置に設定する。すなわち、重量部材２の荷重の作用線の延長方向が補助回転軸１３の中心からずれている状態で、回転軸１２をそのまま用いて回転すると、ずれた方向と反対側への回転をスムーズに行うことが出来なくなり、図６に示すＳ点に応力が集中して破壊部２４となる可能性がある。そこで、起立時に板状部２１から底面１１１が受ける荷重の作用線の延長方向に補助回転軸１３の中心が位置するように板状部２１の位置を調節材１１３で調節する。このようにすることで、立ち起した重量部材２をいずれの方向にも容易に回転させることができる。
【実施例】
【００１２】
以下、本発明の重量部材の起立装置を使用したカーテンウォールの立て起し方法について説明する。
【００１３】
重量部材２（カーテンウォール）を起重機船に載せて所定の位置まで運搬する。重量部材２の一端側は起立装置１で支持し、他端側は重量部材２を下から支える仮支持台とする。そして、仮支持台側の重量部材２の端部に吊りワイヤ３を連結して他端側を吊り上げる（図１参照）。ここで、クレーンのブームの先端が、重量部材２の吊り点よりも重量部材２側に傾くと、急激に重量部材２が回転し、転倒する危険性があるため注意しながら吊り上げる。
【００１４】
立て起し中の重量部材２の重心が回転軸１２の支点直上を越えるときも急に回転する危険性があるため、吊り点付近に取り付けた逸走防止用ウインチで過度の回転を抑えながらゆっくりと重量部材２を立て起す。吊り上げ開始からここまでの間、回転軸１２に重量部材２のすべての荷重を作用させるのではなく、吊りワイヤ３と分担して支持させることによって、重量部材２の捻れによる損傷を防止することができる。
【００１５】
重量部材２が垂直になった後は、補助回転軸１３が受台１５に載置され、補助回転軸１３で支持することになる（図４参照）。そして、垂直状態からさらに重量部材２を倒しこみ、重量部材２の起立装置１側の下部吊点１１７にも吊りワイヤ３を連結する。カーテンウォール（重量部材２）を立て起した状態で上下の両端側を吊りワイヤ３で吊ることができれば、カーテンウォールを所定の角度で傾けたまま杭体まで移動させることができ、斜杭にも容易に挿入することができる。
【図面の簡単な説明】
【００１６】
【図１】本発明の重量部材の起立装置の実施例の説明図
【図２】重量部材の起立装置の実施例の側面図
【図３】重量部材の起立装置の実施例の正面図
【図４】起立装置によって重量部材を起立させた実施例の説明図
【図５】重量部材の起立時に発生する力の関係を示した説明図
【図６】重量部材の起立後に発生する力の関係を示した説明図
【符号の説明】
【００１７】
１・・・起立装置
１１・・架台
１１１・・底面
１２・・回転軸
１３・・補助回転軸
２・・・重量部材
２１・・板状部
【図１】
2005248662.tif 000003
【図２】
2005248662.tif 000004
【図３】
2005248662.tif 000005
【図４】
2005248662.tif 000006
【図５】
2005248662.tif 000007
【図６】
2005248662.tif 000008